(57)【特許請求の範囲】
【請求項１】
設置対象箇所に取り付けられる設置対象側取付部材と、この設置対象側取付部材とは別個に設けられ取付対象となる機器に取り付けられる機器側取付部材と、を具備し、これら各取付部材の少なくとも一方は、他方の取付部材に結合するための結合手段を有し、この結合手段は、上記各取付部材の結合状態とこの結合状態を解除して上記各取付部材をそれぞれ分離可能とする非結合状態とを任意に形成可能であり、
上記他方の取付部材は、棒状部を有し、
上記一方の取付部材は、上記棒状部が少なくともその一端から挿通可能な第１の貫通孔を有し、この第１の貫通孔内に該棒状部を挿通させた状態で上記結合手段により該棒状部の長さ方向における任意の位置に結合可能とされ、
さらに、上記他方の取付部材が、上記設置対象側取付部材であって、この設置対象側取付部材を上記設置対象箇所に取り付けたとき、上記棒状部の上記第１の貫通孔内に挿通される側の一端が、水平方向よりも上方側を向く状態に構成された、
機器取付具。
【請求項２】
設置対象箇所に取り付けられる設置対象側取付部材と、この設置対象側取付部材とは別個に設けられ取付対象となる機器に取り付けられる機器側取付部材と、を具備し、これら各取付部材の少なくとも一方は、他方の取付部材に結合するための結合手段を有し、この結合手段は、上記各取付部材の結合状態とこの結合状態を解除して上記各取付部材をそれぞれ分離可能とする非結合状態とを任意に形成可能であり、
上記他方の取付部材は、棒状部を有し、
上記一方の取付部材は、上記棒状部が少なくともその一端から挿通可能な第１の貫通孔を有し、この第１の貫通孔内に該棒状部を挿通させた状態で上記結合手段により該棒状部の長さ方向における任意の位置に結合可能とされ、
さらに、上記一方の取付部材が、上記設置対象側取付部材であって、この設置対象側取付部材を上記設置対象箇所に取り付けると共に、この設置対象側取付部材の上記第１の貫通孔内に上記機器側取付部材の上記棒状部を挿通させた状態でこれら各取付部材を結合したとき、該棒状部の該第１の貫通孔内に挿通された側の一端が、水平方向よりも下方側を向く状態に構成された、
機器取付具。
【請求項３】
上記棒状部は、その長さ方向において曲線状に形成された部分を有し、上記一方の取付部材は、該棒状部の曲線状に形成された部分にも結合可能な状態に構成された、請求項１または２に記載の機器取付具。
【請求項４】
上記一方の取付部材は、上記棒状部を中心軸とする周方向において該棒状部の任意の位置に結合可能な状態に構成された、請求項１または２に記載の機器取付具。
【請求項５】
上記結合手段は、上記棒状部を挟持することにより該棒状部に上記一方の取付部材を結合させる、請求項１または２に記載の機器取付具。
【請求項６】
上記他方の取付部材が、上記棒状部を支持する支持手段を備え、この支持手段は、上記棒状部をその長さ方向における任意の位置で支持可能な状態に構成された、請求項１または２に記載の機器取付具。
【請求項７】
上記棒状部は、その長さ方向において曲線状に形成された部分を有し、上記支持手段は、この棒状部の曲線状に形成された部分においても該棒状部を支持可能な状態に構成された、請求項６に記載の機器取付具。
【請求項８】
上記支持手段は、上記棒状部を中心軸とする周方向において該棒状部の任意の位置を支持可能な状態に構成された、請求項６に記載の機器取付具。
【請求項９】
上記他方の取付部材は、上記棒状部が少なくともその一端から挿通可能な第２の貫通孔を有し、この第２の貫通孔内に上記棒状部を挿通させた状態で上記支持手段により該棒状部を支持するよう構成された、請求項６に記載の機器取付具。
【請求項１０】
上記支持手段は、上記棒状部を挟持することにより該棒状部を支持する状態に構成された、請求項６に記載の機器取付具。
【請求項１１】
上記棒状部の他端側に、該棒状部の他端側が上記第１及び第２の貫通孔内を挿通するのを防止する挿通防止手段を設けた、請求項９に記載の機器取付具。
【請求項１２】
上記棒状部は、その長さ方向に沿って上記機器に接続される電線を収容可能な中空部を有する、請求項１または２に記載の機器取付具。
【請求項１３】
上記棒状部の周壁に、上記中空部の内部と外部とを連通する状態に上記電線が挿通可能な孔または溝を設けた、請求項１２に記載の機器取付具。
【発明の詳細な説明】
【０００１】
【発明の属する技術分野】
本発明は、例えばスピーカ装置や監視カメラ装置、投光器等の各種機器を、天井や壁面、柱等に取り付けるのに用いる機器取付具に関する。
【０００２】
【従来の技術】
上記のような機器取付具として、従来、例えば図１０に示すようなスピーカ装置用取付具が知られている。この取付具は、図示しない例えば箱型スピーカ装置を天井等に取り付けることを前提とするもので、同図に示すように、天井側に固定される概略平板状の天井側固定部１０１と、スピーカ装置側に固定される概略平板状のスピーカ側固定部１０２と、を備えている。
【０００３】
天井側固定部１０１の一面（同図において下方側の面）には、その中央部分から略垂直方向に向かって伸延する概略円柱状のアーム部１０３が結合されている。そして、このアーム部１０３の先端には、概略円盤状の連結部１０４が、その平面部分をアーム部１０３の伸延方向に沿わせた状態で、結合されている。一方、スピーカ側固定部１０２の一面（同図において上方側の面）にも、その中央部分から略垂直方向に向かって伸延する概略円柱状のアーム部１０５が結合されている。そして、このアーム部１０５の先端にも、概略円盤状の連結部１０６が、その平面部分をアーム部１０５の伸延方向に沿わせた状態で、結合されている。
【０００４】
上記各連結部１０４、１０６は、それぞれの一面を互いに対向させた状態で、角度調整用ネジ１０７により結合されている。これにより、各固定部１０１、１０２、各アーム部１０３、１０５、各連結部１０４、１０６及び角度調整用ネジ１０７から成るこの取付具は、全体として一体化された構造となっている。そして、この角度調整用ネジ１０７を少し緩めると、同図に矢印１０８で示すように、当該角度調整用ネジ１０７を中心軸とする周方向において、各アーム部１０３、１０５の連結角度を調整できる。そして、この角度調整用ネジ１０７を強固に締め直すと、当該調整後の各アーム部１０３、１０５の連結角度を維持できる。なお、この角度調整用ネジ１０７は、飽くまで上記角度調整を行うためのものであって、任意に取り外すことを前提とするものではない。従って、本取付具は、基本的に、常に一体化された状態で使用される。
【０００５】
上記のように構成された取付具を用いて、例えば天井にスピーカ装置を取り付けるには、次の手順による。まず、設置対象箇所である天井に対して、天井側固定部１０１の他面側（アーム部１０３が結合されていない側の面）を対向させ、この状態で、当該天井側固定部１０１の一面側からこの天井側固定部１０１自体に穿設されたネジ挿通用貫通孔１０９、１０９、・・・を介して、図示しない固定用ネジを天井に螺着し、これによって当該天井側固定部１０１を天井に固定する。次に、スピーカ側固定部１０２の他面側（アーム部１０５が結合されていない側の面）に対して、取付対象となるスピーカ装置の筐体取付面を対向させ、この状態で、当該スピーカ側固定部１０２の一面側からこのスピーカ側固定部１０２に穿設されたネジ挿通用貫通孔１１０、１１０を介して、図示しないスピーカ取付ネジを、スピーカ装置の筐体に設けられたネジ孔に螺着する。これにより、当該スピーカ側固定部１０２にスピーカ装置を固定する。そして、上記角度調整用ネジ１０７を少し緩めて、各アーム部１０３、１０５の連結角度、即ち天井に対するスピーカ装置の取付角度、を希望の角度に調整する。そして、この調整後、角度調整用ネジ１０７を強固に締め直して、一連の取付作業を完了する。
【０００６】
【発明が解決しようとする課題】
しかし、上記従来の取付具によれば、天井側に固定される天井側固定部１０１と、スピーカ装置側に固定されるスピーカ側固定部１０２とが、一体化されているので、次のような問題がある。即ち、天井に固定された取付具に対して、スピーカ装置を取り付ける際、天井付近という所謂高所において、スピーカ装置を支持しながら、当該スピーカ装置に設けられたネジ孔に上記スピーカ取付ネジを螺着しなければならず、この作業が極めて困難であるという問題がある。特に、スピーカ装置は、その構造上、重量が比較的に大きいため、この問題が、より顕著となる。
【０００７】
また、上記とは反対に、まず先にスピーカ装置を取付具に固定し、その後で、これらスピーカ装置と取付具とを一体化したものを天井に固定する、ということも可能である。しかし、この場合、スピーカ装置と取付具とを一体化することにより更に重くなったものを天井位置にまで持ち上げなければならず、上記のように取付具のみを先に天井に固定する場合に比べて、多大な労力を要する。その上、この更に重くなったものを高所で支持しながら、上記固定用ネジを天井に螺着しなければならないので、上記問題が、より一層顕著になる。また、上記固定用ネジを螺着する際に、既にこの取付具（スピーカ側固定部１０２）に固定されているスピーカ装置自体（筐体）が、当該螺着作業の邪魔になる、という新たな問題も生じる。
【０００８】
更に、上記従来の取付具によれば、上記矢印１０８で示す方向においてスピーカ装置の天井に対する取付角度を調整できるものの、それ以外の方向においては、当該取付角度を調整することができない。従って、スピーカ装置の取付角度について、より自由な調整が要求される用途等において、十分な対応を取ることができない、という問題もある。
【０００９】
そこで、本発明は、スピーカ装置等の機器の取付作業が極めて容易で、かつ、当該機器の取付角度をより自由に調整できる機器取付具を提供することを目的とする。また、このような機器取付具を比較的に簡単な構造で実現することも、本発明の目的とするところである。
【００１０】
【課題を解決するための手段】
上記の目的を達成するために、本発明は、例えば天井や壁面、柱等の設置対象箇所に取り付けられる設置対象側取付部材と、この設置対象側取付部材とは別個に設けられ取付対象となる機器に取り付けられる機器側取付部材と、を具備する。そして、これら各取付部材の少なくとも一方は、他方の取付部材に結合するための結合手段を有し、この結合手段は、各取付部材の結合状態と、この結合状態を解除して上記各取付部材をそれぞれ分離可能とする非結合状態と、を任意に形成可能とされたものである。なお、ここで言う上記機器としては、例えばスピーカ装置や監視カメラ装置、或いは投光器等の各種機器がある。
【００１１】
即ち、本発明によれば、設置対象側取付部材と機器側取付部材という、それぞれ別個独立した２つの取付部材を具備する。そして、これら各取付部材は、所定の結合手段により、任意に結合され、または非結合とされる。結合状態においては、各取付部材は、一体化される。一方、非結合状態においては、各取付部材は、それぞれ分離可能とされる。
【００１２】
このように構成された本発明の機器取付具を用いて、任意の設置対象箇所、例えば天井、に対して、任意の機器、例えばスピーカ装置、を取り付けるには、次の手順による。即ち、まず、各取付部材を非結合状態とする。そして、この状態で、設置対象側取付部材のみを、例えば上記固定用ネジ等の所定の固定手段により、天井に取り付ける。これと同時に、機器取付部材のみを、例えば上記スピーカ取付ネジ等の所定の固定手段により、スピーカ装置（詳しくは、スピーカ装置の筐体取付面）に取り付ける。そして、天井に取り付けられた設置対象側取付部材に、スピーカ装置が取り付けられた機器側取付部材を、上記結合手段により結合する。これにより、一連の取付作業が完了する。
【００１３】
このように、本発明によれば、天井への設置対象側取付部材の取付作業と、スピーカ装置への機器側取付部材の取付作業とを、それぞれ別々に実施できる。そして、これら各取付部材を、所定の結合手段により結合するだけで、一連の取付作業を実現できる。従って、天井付近という高所においてスピーカ取付ネジを螺着しなければならない上述した従来技術とは異なり、当該面倒なネジの螺着作業を、例えば床上等の低所において、予め実施できる。このことは、監視カメラ装置や投光器等のスピーカ装置以外の機器を、天井に取り付ける場合も、同様である。また、壁面や柱等に各種機器を取り付ける場合も、同様である。
【００１４】
なお、上記他方の取付部材、特に設置対象側取付部材は、上記一方の取付部材、即ち機器側取付部材が、結合可能な部分を、複数有するよう構成してもよい。このように構成すれば、設置対象側取付部材に対する機器側取付部材の結合状態、即ち設置対象側取付部材に対する機器の結合位置や結合角度等を、任意に変更できる。また、１つの設置対象側取付部材に対して、複数の機器側取付部材、即ち複数の機器を、結合させることができる。
【００１５】
また、上記他方の取付部材は、棒状部を有し、上記一方の取付部材は、上記結合手段によりこの棒状部の長さ方向における任意の位置に結合可能な状態に構成されたものであってもよい。このように構成すれば、棒状部の長さ方向において、一方の取付部材の結合位置を任意に変更できる。また、棒状部に対して、一方の取付部材を複数結合させることもでき、例えば、一方の取付部材が機器取付部材である場合には、上記棒状部に対して複数の機器を取り付けることができる。
【００１６】
更に、棒状部は、その長さ方向において曲線状に形成された部分を有し、上記一方の取付部材は、この棒状部の曲線状に形成された部分にも結合可能としてもよい。このように構成すれば、棒状部の上記曲線状に形成された部分に沿って、一方の取付部材の結合位置を任意に変更でき、ひいては設置対象箇所に対する機器の取付角度を任意に変更できる。
【００１７】
また、一方の取付部材は、上記棒状部を中心軸とする周方向において当該棒状部の任意の位置に結合可能としてもよい。このようにすれば、棒状部を中心軸とする周方向において、当該棒状部に対する一方の取付部材の結合位置、即ち結合角度、を任意に変更でき、ひいては設置対象箇所に対する機器の取付角度を任意に変更できる。
【００１８】
そして、一方の取付部材は、上記棒状部が少なくともその一端から挿通可能な第１の貫通孔を有し、この第１の貫通孔内に棒状部を挿通させた状態で当該棒状部に結合するよう構成してもよい。このようにすれば、棒状部に対して、一方の取付部材を、より確実に結合することができる。また、棒状部に一方の取付部材を結合させる際に、この棒状部を上記第１の貫通孔に挿通させることにより、当該第１の貫通孔が一種の案内手段として作用するので、棒状部に対する一方の取付部材の結合作業が容易になる。
【００１９】
ここで、他方の取付部材が、例えば設置対象側取付部材である場合には、この設置対象側取付部材を設置対象箇所に取り付けたときに、上記棒状部の上記第１の貫通孔内に挿通される側の一端が、水平方向よりも上方側を向くよう構成するのが望ましい。このようにすれば、仮に上記結合手段による各取付部材の結合状態が緩和したとしても、上記棒状部は第１の貫通孔から抜けることはなく当該第１の貫通孔に挿通された状態にあるので、機器を含む機器側取付部材が落下することはない。従って、何らかの原因により、結合手段による各取付部材の結合状態が緩和したときに、機器側取付部が落下するのを防止できる。
【００２０】
これとは逆に、一方の取付部材が、設置対象側取付部材である場合には、次のようにするのが望ましい。即ち、この設置対象側取付部材を設置対象箇所に取り付けると共に、この設置対象側取付部材の上記第１の貫通孔内に機器側取付部材の棒状部を挿通させた状態でこれら各取付部材を結合したとき、当該棒状部の第１の貫通孔内に挿通された側の一端が、水平方向よりも下方側を向くように構成する。このように構成すれば、結合手段による各取付部材の結合状態が緩和したとしても、上記と同様、棒状部は第１の貫通孔から抜けることはなく当該第１の貫通孔に挿通された状態にあるので、機器を含む機器側取付部材が落下するのを防止できる。
【００２１】
なお、本発明における結合手段は、例えば、上記棒状部を挟持することにより当該棒状部に一方の取付部材を結合させる所謂挟持手段により構成できる。このように構成すれば、例えばネジ等の螺着手段により各取付部材を結合させる場合に比べて、各取付部材を容易に結合できる。
【００２２】
また、他方の取付部材は、上記棒状部を支持する支持手段を備えたものであってもよい。この場合、この支持手段は、上記棒状部を、その長さ方向における任意の位置で支持可能とするのが望ましい。このように構成すれば、棒状部の長さ方向において、他方の取付部材の結合位置をも任意に変更でき、ひいては、各取付部材相互の結合位置をより自由に変更できる。
【００２３】
ここで、棒状部が、その長さ方向において曲線状に形成された部分を有する場合には、上記支持手段は、この棒状部の曲線状に形成された部分においても当該棒状部を支持できるよう構成するのが望ましい。このように構成すれば、棒状部の上記曲線状に形成された部分に沿って、他方の取付部材（支持手段）による当該棒状部の支持位置を任意に変更でき、ひいては設置対象箇所に対する機器の取付角度を任意に変更できる。
【００２４】
また、上記支持手段は、棒状部を中心軸とする周方向において、当該棒状部の任意の位置を支持できるよう構成してもよい。このようにすれば、棒状部を中心軸とする周方向において、他方の取付部材による当該棒状部の支持位置を任意に変更でき、ひいては設置対象箇所に対する機器の取付角度を任意に変更できる。
【００２５】
そして、他方の取付部材は、上記棒状部が少なくともその一端から挿通可能な第２の貫通孔を有し、この第２の貫通孔内に棒状部を挿通させた状態で上記支持手段により当該棒状部を支持するよう構成してもよい。このようにすれば、支持手段によって棒状部をより確実に支持することができる。また、支持手段により棒状部を支持する際に、この棒状部を上記第２の貫通孔に挿通させることにより、当該第２の貫通孔が一種の案内手段として作用する。従って、支持手段により棒状部を支持する際の作業が、容易になる。
【００２６】
なお、上記支持手段は、例えば、上記棒状部を挟持することにより当該棒状部を支持する所謂挟持手段により構成できる。このように構成すれば、当該支持手段による棒状部の支持作業が、極めて容易になる。
【００２７】
また、上記のように第１及び第２の貫通孔を設けた場合には、棒状部の他端側がこれら各貫通孔内を挿通するのを防止するよう、当該棒状部の他端側に挿通防止手段を設けるのが望ましい。このようにすれば、上記結合手段による各取付部材の結合状態または上記支持手段による棒状部の支持状態が、何らかの原因により緩和したとしても、当該棒状部が上記第１及び第２の貫通孔から抜けるのを防止でき、ひいては機器を含む機器側取付部が落下するのを防止できる。
【００２８】
更に、上記棒状部は、その長さ方向に沿って、上記機器に接続される電線を収容可能な中空部を有するものとするのが望ましい。このように棒状部内を介して電線を配線するようにすれば、当該電線により本発明の取付具全体の美観が損なわれるのを防止でき、本発明の取付具を実際に設置対象箇所に取り付けたときの当該取付具全体の美装性を確保できる。
【００２９】
そして、上記中空部を設けた場合には、この中空部の内部と外部とを連通する状態に、上記電線が挿通可能な孔または溝を、棒状部の周壁に適宜設けるのが望ましい。このようにすれば、上記中空部内を介して配線される電線を、必要な箇所で外側に引き出すことができ、余計な配線経路を排除できる。
【００３０】
【発明の実施の形態】
本発明を例えばスピーカ装置用の取付具に応用する場合の一実施の形態について、図１から図９を参照して説明する。
【００３１】
図１は、本実施の形態の概略構成を示す図である。同図に示すように、本実施の形態は、湾曲した棒状部１１を有する設置対象側取付部材１と、当該棒状部１１が挿通可能な貫通孔２１、２１を有するスピーカ側取付部材２と、で構成されている。なお、後述するが、設置対象側取付部材１は、同図には示さない天井や壁面等の設置対象箇所に固定され、スピーカ側取付部材２は、同図には示さないスピーカ装置（詳しくは、このスピーカ装置の筐体取付面）に固定される。
【００３２】
図２に、設置対象側取付部材１の構造を、より詳細に示す。同図に示すように、上記棒状部１１は、その一端側のみが湾曲しており、他端側は略直線状であり、所謂概略釣針状に形成されている。そして、この棒状部１１の他端側であって、当該他端側の外周壁のうち上記湾曲している側とは反対側の部分に、概略平板状の固定部１２が、その一面を、当該外周壁に沿わせた状態で、結合されている。なお、これら棒状部１１及び固定部１２は、例えば鉄やステンレス等の金属により形成されており、これら両者の結合は、例えば溶接加工等により実現されている。勿論、これ以外にも、例えば樹脂や木質材等の非金属材料により棒状部１１及び固定部１２を形成し、これらをネジや接着剤等の溶接加工以外の結合手段により結合し或いは一体に形成してもよい。
【００３３】
固定部１２には、その一面側から他面側に貫通する状態に、複数、例えば４つ、のネジ挿通用貫通孔１３、１３、・・・が穿設されている。これら各ネジ挿通用貫通孔１３、１３、・・・は、この固定部１２を含む設置対象側取付部材１を、天井等に固定する際に用いる例えば木ネジ構成の固定用ネジ３、３、・・・を挿通させるためのものである。即ち、設置対象側取付部材１を天井等に固定する場合には、天井等に固定部１２の他面側（棒状部１１が結合されている側とは反対側の面）を対向させ、この状態で、固定部１２の一面側から各ネジ挿通用貫通孔１３、１３、・・・を介して、上記固定用ネジ３、３、・・・を天井に螺着する。
【００３４】
棒状部１１は、その一端から他端に至るまでその長さ方向を横切る断面形状及び断面積が略一様なパイプ状のもので、その中空部１４を介して、スピーカ装置に配線するための図示しない信号線等の電線を挿通できるように構成されている。また、この棒状部１１の湾曲している側の周壁には、当該棒状部１１の長さ方向に沿って、上記中空部１４の内部と外部とを連通するように溝１５が設けられている。そして、この溝１５を介して、中空部１４の内部と外部との間で上記電線を任意に挿通できるように構成されている。なお、この溝１５に代えて、上記電線を挿通可能な貫通孔を、棒状部１１の長さ方向に沿って、複数、穿設してもよい。
【００３５】
更に、棒状部１１の一端側は、上記湾曲の成す円周の２／３乃至３／４程度にまで比較的に大きく曲げられている。これにより、当該一端側の延長線が、棒状部の他端側若しくは当該他端側の延長線と、交差するよう構成されている。
【００３６】
一方、スピーカ側取付部材２は、図３に示すような構造となっている。なお、このスピーカ側取付部材２は、これを正面から見た構造と、背面から見た構造とが、同等とされており、また、左側から見た構造と、右側から見た構造とが、同等とされている。
【００３７】
同図に示すように、スピーカ側取付部材２は、内部が中空の概略直方形状の本体部２２を有している。そして、この本体部２２を構成する２組の対向側壁２３、２３及び２４、２４のうちの１組、例えば正面側と背面側とに位置する各側壁２３、２３に、それぞれ上記貫通孔２１、２１が互いに対向する状態に穿設されている。そして、他の１組（即ち左右）の各側壁２４、２４の下方側端縁には、それぞれ、これら各側壁２４、２４と垂直を成し、かつ、当該各側壁２４、２４から外方に向かって伸延する状態に、概略平板状の固定部２５、２５が結合されている。
【００３８】
上記各固定部２５、２５には、それぞれの一面側から他面側に貫通する状態に、ネジ挿通用貫通孔２６、２６が穿設されている。これら各ネジ挿通用貫通孔２６、２６は、各固定部２５、２５を含むスピーカ側取付部材２を、スピーカ装置に固定する際に用いる例えばボルト構成のスピーカ取付ネジ４、４を挿通させるためのものである。即ち、スピーカ側取付部材２をスピーカ装置に固定する場合には、スピーカ装置の筐体取付面に各固定部２５、２５の一面側（上記各側壁２４、２４が結合されている側とは反対側の面）を対向させ、この状態で、各固定部２５、２５の他面側から各ネジ挿通用貫通孔２６、２６を介して、上記スピーカ取付ネジ４、４を、スピーカ装置の筐体に設けられたネジ孔に螺着する。なお、各ネジ挿通用貫通孔２６、２６は、各固定部２５、２５が対向する方向に沿って伸延する長孔とされている。従って、これら各固定部２５、２５に固定されるスピーカ装置の型式等の違いによって、上記ネジ孔の間隔（ピッチ）が多少異なっても、或る程度、対応できる。
【００３９】
上記各側壁２３、２３及び２４、２４の各下方側端縁で囲まれる部分、所謂上記本体部２２の底面部分は、開口とされている。一方、本体部２２の上面側は、板状の上壁部２７によって閉鎖されており、この上壁部２７の各周縁に、上記各側壁２３、２３及び２４、２４の各上方側端縁が、それぞれ結合されている。更に、この上壁部２７の略中央部分には、その上面から底面に貫通する状態に雌ネジ部２８が形成されている。なお、これら各側壁２３、２３及び２４、２４と上壁部２７とから成る本体部２２と、各固定部２５、２５とから成る部分は、例えば１枚の金属板を板金加工することにより、一体に形成できる。勿論、これに限らず、例えば硬質樹脂等によっても、これらの部分を構成できる。
【００４０】
上記雌ネジ部２８には、これと螺合する状態に雄ネジ２９が挿入されている。この雄ネジ２９の上方側端部には、概略円盤状のツマミ部３０が結合されている。一方、雄ネジ２９の下方側端部が位置する側であって、上記本体部２２の内部には、下方側に向けて鋸歯状に形成された部分３１ａ、３１ａを有する押圧部３１が設けられている。この押圧部３１は、上記本体部２２を構成する各側壁２３、２３及び２４、２４の各内側面にそれぞれ沿う４つの平板部３１ｂ、３１ｂ及び３１ｃ、３１ｃと、これら各平板部３１ｂ、３１ｂ及び３１ｃ、３１ｃの各上方側端縁をそれぞれ結合する上方側平板部３１ｄと、から成り、例えば１枚の金属板を板金加工することにより一体に形成されている。そして、これら各平板部３１ｂ、３１ｂ及び３１ｃ、３１ｃのうち、上記各貫通孔２１、２１が設けられている側壁２３、２３の内側面に沿う各平板部３１ｂ、３１ｂの下方側端縁に、上記鋸歯状部分３１ａ、３１ａが、若干凹状の湾曲を成す状態に形成されている。また、他の平板部３１ｃ、３１ｃには、それぞれの外側面から内側面に向かってネジ３２、３２が螺着されている。更に、これら各ネジ３２、３２が螺着されている各平板部３１ｃ、３１ｃに沿う各側壁２４、２４には、当該各ネジ３２、３２の各頭部が緩やかに介在する状態に、上下方向に長い貫通孔、所謂長孔３３、３３が設けられている。
【００４１】
即ち、押圧部３１は、上記本体部２２を構成する各側壁２３、２３及び２４、２４の各内側面に、それぞれ各平板部３１ｂ、３１ｂ及び３１ｃ、３１ｃを沿わせた状態で、当該本体部２２内を上下方向に沿って摺動可能とされている。そして、この押圧部３１の摺動を案内すると共に、当該押圧部３１が本体部２２内から抜け出ないようにするために、上記のように各長孔３３、３３内に各ネジ３２、３２の各頭部を介在させている。また、上記構成から明らかなように、図３（ａ）に矢印３４で示すように、雄ネジ２９を中心軸としてその周方向にツマミ部３０を回動させると、同図（ａ）に矢印３５で示すように、当該雄ネジ２９が、上下方向に変位する。そして、上記ツマミ部３０を時計方向に回動させることにより下方に向けて雄ネジ２９を変位させると、図には示さないが、当該雄ネジ２９の下方側端部先端が、押圧部３１の上方側平板部３１ｄの上面に当接して、当該押圧部３１を下方に押圧する状態となる。
【００４２】
上記のように構成された設置対象側取付部材１とスピーカ側取付部材２とから成る本実施の形態の取付具を用いて、例えば天井にスピーカ装置を取り付けるには、次の手順による。即ち、まず、設置対象側取付部材１とスピーカ側取付部材２とを、それぞれ分離した状態（即ち、スピーカ側取付部材２の貫通孔２１、２１から設置対象側取付部材１の棒状部１１を引き抜いた状態）で、上記固定用ネジ３、３、・・・により、天井に設置対象側取付部材１のみを固定する。これと同時に、上記スピーカ取付ネジ４、４により、スピーカ装置の筐体取付面にスピーカ側取付部材２のみを固定する。そして、スピーカ装置が固定されたスピーカ側取付部材２を、天井に固定された上記設置対象側取付部材１の設置箇所にまで持ち上げて、当該スピーカ側取付部材２の貫通孔２１、２１内に、設置対象側取付部材１の棒状部１１を、挿通させる。
【００４３】
この状態で、スピーカ側取付部材２の上記ツマミ部３０を例えば時計回りに回動させると、押圧部３１の鋸歯状部分３１ａ、３１ａが、棒状部１の外周壁に当接する。そして、更にツマミ部３０を同一方向に回動させると、棒状部１が、上記押圧部３１の鋸歯状部分３１ａ、３１ａと、各貫通孔２１、２１の各内周壁のうち当該鋸歯状部分３１ａ、３１ａと対向する側の部分とによって、挟持される状態となる。これによって、設置対象側取付部材１とスピーカ側取付部材２とが結合し、即ち、これら各取付部材１、２から成る本実施の形態の取付具を介して、スピーカ装置が天井に取り付けられる。なお、これら各取付部材１、２の結合状態を解除する場合には、上記ツマミ部３０を反時計回りに回動して、上記棒状部１１の挟持状態を十分に緩和させる。そして、この状態で、棒状部１１を上記各貫通孔２１、２１から引き抜けばよい。
【００４４】
このように、本実施の形態によれば、天井への設置対象側取付部材１の取付作業と、スピーカ装置へのスピーカ側取付部材２の取付作業とを、それぞれ別々に実施できる。そして、設置対象側取付部材１の棒状部１１を、スピーカ側取付部材２の貫通孔２１に挿通させて、上記ツマミ部３０を回動するだけで、一連の取付作業を実現できる。従って、天井付近という高所においてスピーカ取付ネジを螺着しなければならない上述した従来技術とは異なり、当該面倒なネジの螺着作業を、例えば床上等の低所において、予め実施できる。よって、上記従来技術に比べて、スピーカ装置の取付作業を、極めて容易に実施できる。このことは、本実施の形態の取付具を用いて、スピーカ装置を壁面や柱等に取り付ける場合も、同様である。
【００４５】
なお、上述したように、棒状部１１は、その長さ方向を横切る断面形状及び断面積が略一定である。従って、この棒状部１１が上記各貫通孔２１、２１内に挿通されている状態においては、例えば図１に矢印５、５で示すように、当該棒状部１１の長さ方向に沿って、スピーカ装置を含むスピーカ側取付部材２を任意に移動（摺動）させることができる。そして、この棒状部１１の長さ方向における任意の位置で、上記ツマミ部３０を時計回りに回動することにより、当該棒状部１１の湾曲した部分をも含む任意の位置にスピーカ側取付部材２を固定できる。
【００４６】
また、棒状部１１の長さ方向を横切る上記断面形状は、所謂円形であるので、この棒状部１１が各貫通孔２１、２１内に挿通されている状態においては、例えば図１に矢印６，６で示すように、棒状部１１を中心軸とする周方向において、スピーカ装置を含むスピーカ側取付部材２を任意に回動させることができる。そして、この棒状部１１の周方向における任意の位置で、上記ツマミ部３０を時計回りに回動することにより、当該任意の位置においてスピーカ側取付部材２を固定できる。
【００４７】
例えば、今、図４に示すように、本実施の形態の取付具を天井１０に取り付けるとする。この場合、同図に矢印５０で示すように、棒状部１１の長さ方向に沿って、棒状部１１に対するスピーカ装置７を含むスピーカ側取付部材２の固定位置を変更すれば、例えば同図に点線７ａで示すように、当該矢印５０で示す方向において、天井１０に対する上記スピーカ装置７の取付角度を任意に調整できる。そして、同図に矢印６０で示すように、棒状部１１を中心軸とする周方向において、この棒状部１１に対するスピーカ側取付部材２の固定位置を変更すれば、当該矢印６０で示す方向、即ち上記矢印５０で示す方向と空間的に直交する方向において、天井１０に対する上記スピーカ装置７の取付角度を任意に調整できる。従って、スピーカ装置の取付角度の調整が一方向にのみ限定される上述した従来技術とは異なり、様々な方向において、当該取付角度を任意に調整できる。
【００４８】
また、上記図４のように本実施の形態の取付具を天井１０に取り付けた場合には、棒状部１１の一端は、少なくとも、水平方向よりも上方側に向いた状態となる。これは、上述したように、棒状部１１の一端を延長した線と、棒状部１１の他端側または当該他端側を延長した線とが、交差する程度に、当該棒状部１１の一端側を大きく湾曲させているからである。従って、何らかの原因により上記ツマミ部３０が緩和したとしても（詳しくは、押圧部３１の鋸歯状部分３１ａ、３１ａと各貫通孔２１、２１の各内周壁とによる棒状部１１の挟持状態が緩和したとしても）、各貫通孔２１、２１内から棒状部１１が抜けることはない。よって、上記ツマミ部３０が緩むことによるスピーカ装置７の落下事故を防止できる。
【００４９】
更に、本実施の形態によれば、上述したように、棒状部１１内の中空部１４を介して、スピーカ装置７に接続される信号線等の電線が配線される。そして、この電線は、棒状部１１の周壁に設けられた溝１５を介して、任意の場所から外部に引き出すことができる。従って、棒状部１１のいずれの位置にスピーカ側取付部材２（スピーカ装置７）が取り付けられても、当該電線が外部に露出する部分を極力抑制することができる。従って、当該電線が外部に露出することにより、本実施の形態の取付具全体の美観が損なわれるのを防止できる。
【００５０】
そして、本実施の形態を構成する設置対象側取付部材１は、所謂金属パイプ製の棒状部１１に概略平板状の固定部１２を結合させるという、極めて簡単な構造のものである。一方、スピーカ側取付部材２は、所謂板金加工品である本体部２２、固定部２６、２６及び押圧部３１と、ツマミ部３０付きの雄ネジ２９及び２本のネジ３２、３２と、から成り、この構造もまた、極めて簡単である。従って、本実施の形態によれば、上記のような多大なる効果を奏する取付具を、極めて簡単かつ安価に実現できるという効果もある。
【００５１】
図５は、本実施の形態の取付具を、壁面２０に取り付けた状態を示す図である。なお、同図は、棒状部１１を略鉛直方向に沿わせた状態で、設置対象側取付部材１を壁面２０に取り付けた場合の図である。この場合も、上記図４の場合と同様に、例えば図５に矢印５１で示すように、棒状部１１の長さ方向に沿って、棒状部１１に対するスピーカ側取付部材２の固定位置を変更すれば、例えば同図に点線７ｂで示すように、当該矢印５１で示す方向において、壁面２０に対するスピーカ装置７の取付角度を任意に調整できる。そして、同図に矢印６１で示すように、棒状部１１を中心軸とする周方向において、この棒状部１１に対するスピーカ側取付部材２の固定位置を変更すれば、当該矢印６１で示す方向において、壁面２０に対する上記スピーカ装置７の取付角度を任意に調整できる。また、この場合も、棒状部１１の一端が、水平方向よりも上方側に向いた状態となるので、上記ツマミ部３０が緩むことによるスピーカ装置７の落下事故を防止できる。
【００５２】
図６は、棒状部１１を略水平方向に沿わせた状態で、設置対象側取付部材１を壁面２０に取り付けた場合の図である。この場合も、同図に矢印５２で示すように、棒状部１１の長さ方向に沿って、棒状部１１に対するスピーカ側取付部材２の固定位置を変更すれば、矢印５２で示す方向において、壁面２０に対するスピーカ装置７の取付角度を任意に調整できる。そして、同図に矢印６２で示すように、棒状部１１を中心軸とする周方向において、この棒状部１１に対するスピーカ側取付部材２の固定位置を変更すれば、同図に点線７ｃで示すように、当該矢印６２で示す方向において、壁面２０に対するスピーカ装置７の取付角度を任意に調整できる。
【００５３】
本実施の形態においては、図７（ａ）に示すように、設置対象側取付部材１を構成する固定部１２に代えて、スピーカ側取付部材２と全く同様の構造の取付部材２ａを用い、この取付部材２ａに設けられた貫通孔２１ａ、２１ａ内に棒状部１１を挿通させた状態で当該棒状部１１を挟持するよう構成してもよい。このようにすれば、同図（ａ）に矢印７０で示すように、取付部材２ａによる棒状部１１の挟持位置、換言すればこの取付部材２ａを介しての天井１０等に対する棒状部１１の固定位置を、当該棒状部１１の長さ方向において、任意に変更できる。また、上記各貫通孔２１ａ、２１ａの各中心を通る線を中心軸として、同図（ｂ）に矢印８０で示す方向に、棒状部１１を任意に回動できる。従って，同図（ｂ）に点線７ｂ、７ｂで示すように、上記矢印８０で示す方向においても、天井１０等の設置対象箇所に対するスピーカ装置７の取付角度を、任意に調整できる。
【００５４】
なお、上記のような取付部材２ａを用いる場合には、棒状部１１の他端側に、例えば上記各貫通孔２１ａ、２１ａよりも径の大きい円盤状のストッパ１６を設けるのが望ましい。このようにストッパ１６を設ければ、何らかの理由により上記取付部材２ａによる棒状部１１の挟持状態が緩和しても、この棒状部１１が貫通孔２１ａ、２１ａ内を抜けることはなく、即ちスピーカ装置７の落下事故を防止できる。なお、このストッパ１６は、各貫通孔２１ａ、２１ａを挿通不可能な構造であれば足り、上記円盤状の構造に限定されるものではない。
【００５５】
また、上記取付部材２ａを用いる場合には、棒状部１１として、例えば図８に示すように、それ全体が湾曲したものを用いてもよい。このようにすれば、棒状部１１の長さ方向に沿って、当該棒状部１１の上記取付部材２ａによる挟持位置を変更することによっても、天井１０等に対するスピーカ装置７の取付角度を調整できる。従って、当該角度調整を、より詳細に実現できる。
【００５６】
更に、棒状部１１に対しては、スピーカ装置７を含むスピーカ側取付部材２を、複数、結合させることもできる。また、例えば図９に示すように、棒状部１１の他端側についても、その一端側と同様の構造とすることにより、１つ棒状部１１（設置対象側取付部材１）に対して、より多くのスピーカ装置７、７を取り付けることもできる。
【００５７】
本実施の形態においては、スピーカ装置を取付対象とする場合について説明したが、これに限らない。例えば、監視カメラ装置や投光器等のスピーカ装置以外の各種機器を、天井等に取り付ける場合にも、本発明を応用できる。
【００５８】
また、図１において、スピーカ側取付部材２を天井等の設置対象側に取り付け、設置対象側取付部材１をスピーカ装置側に取り付けてもよい。なお、この場合、スピーカ側取付部材２を天井等に取り付け、このスピーカ側取付部材２の各貫通孔２１、２１内に設置対象側取付部材１の棒状部１１を挿入すると、当該設置対象側取付部材１の構造上、明らかに、棒状部１１の一端側が、水平方向よりも下方側を向くことが予想できる。従って、上記ツマミ部３０による棒状部１１の挟持状態が、何らかの原因により緩和したとしても、棒状部１１が各貫通孔２１、２１から抜けることはなく、スピーカ装置の落下事故を防止できる。
【００５９】
そして、棒状部１１の形状は、釣針状に限らない。例えば、棒状部１１の長さ方向に沿って、複数の湾曲部を設けたり、より複雑な曲線部分を設けてもよい。また、スピーカ側取付部材２を構成する押圧部３１の鋸歯状部分３１ａ、３１ａと貫通孔２１、２１の内周縁との間で棒状部１１を挟持することにより、当該スピーカ側取付部材２を棒状部１１に結合させたが、これ以外の方法により、これら両者を結合してもよい。そして、上記押圧部３１の鋸歯状部分３１ａ、３１ａに代えて、この部分にゴム等の緩衝性材料等を設けることにより、上記結合を確実にしてもよい。
【００６０】
更に、上記スピーカ側取付部材２の各貫通孔２１、２１に代えて、環状部分を設け、この環状部分に棒状部１１を挿通させた状態で、当該棒状部１１を挟持するよう構成してもよい。また、棒状部１１は、パイプ状のものに限らず、例えば角棒状のものであってもよい。即ち、本実施の形態で説明した構造は、飽くまで本発明の一例であって、本実施の形態と同様の作用及び効果を奏するのであれば、本実施の形態とは別の構造によって本発明を実現してもよい。
【００６１】
なお、本実施の形態において、スピーカ側取付部材２に穿設された各貫通孔２１、２１が、特許請求の範囲に記載の第１の貫通孔に対応する。そして、これら各貫通孔２１、２１内において、上記押圧部３１の鋸歯状部分３１ａ、３１ａとの間で棒状部１１を挟持する構造が、特許請求の範囲に記載の結合手段に対応する。
【００６２】
また、図７及び図８に示すように、上記スピーカ側取付部材２と同様の取付部材２ａにより棒状部１１を挟持する構造が、特許請求の範囲に記載の支持手段に対応する。そして、この取付部材２ａに穿設された貫通孔２１ａ、２１ａが、特許請求の範囲に記載の第２の貫通孔に対応する。
【００６３】
【発明の効果】
以上のように、本発明によれば、天井側に取り付けられる設置対象側取付部材と、スピーカ装置等の機器側に取り付けられる機器側取付部材と、がそれぞれ別個独立している。従って、例えば床上等の低所において、機器側取付部材に対する機器の取付作業を実施できるので、天井付近という所謂高所においてスピーカ装置等の取付作業（詳しくは、スピーカ取付ネジの螺着作業）を行わなければならない上述した従来技術に比べて、当該スピーカ装置等の機器の取付作業を極めて容易に実施できるという効果がある。また、様々な方向において、機器の取付角度を調整できるようにも構成できるので、当該機器の取付角度について自由な調整が要求される用途等において、上記従来技術よりも柔軟に対応できる。
【図面の簡単な説明】
【図１】本発明に係るスピーカ用取付具の一実施の形態を示す外観斜視図である。
【図２】同実施の形態における設置対象側取付部材の外観図である。
【図３】同実施の形態におけるスピーカ側取付部材の外観図である。
【図４】同実施の形態を天井に取り付けた状態を右横方から見た図である。
【図５】同実施の形態を壁面に取り付けた状態を右横方から見た図である。
【図６】同実施の形態を壁面に取り付けた状態を正面から見た図で、図５とは別の態様で取り付けた状態を示す図である。
【図７】図４の別の例を示す図である。
【図８】図４及び図７の別の例を示す図である。
【図９】本実施の形態の応用例を示す図である。
【図１０】従来のスピーカ用取付具の外観斜視図である。
【符号の説明】
１  設置対象側取付部材
２  スピーカ側取付部材
１１  棒状部
２１  貫通孔
３１  押圧部
【図１】
0004067739.tif 000002
【図２】
0004067739.tif 000003
【図３】
0004067739.tif 000004
【図４】
0004067739.tif 000005
【図５】
0004067739.tif 000006
【図６】
0004067739.tif 000007
【図７】
0004067739.tif 000008
【図８】
0004067739.tif 000009
【図９】
0004067739.tif 000010
【図１０】
0004067739.tif 000011